(57)【要約】  【課題】生体情報の管理方法に関し、センサーモジュールの不正使用等を防止する。  【解決手段】連続生体情報測定装置から受信したセンサー使用情報の製造日または生産ロット情報に基づいて連続生体情報測定装置のセンサーモジュールの有効性を判断することで、流通期間が経過したセンサーモジュールまたは不良センサーモジュールの使用を防止する。連続生体情報測定装置から受信した測定メッセージに具備された使用者情報に基づいてセンサーモジュールの再使用や共同使用を防止する。
2021505307.tif 000002
【特許請求の範囲】
【請求項１】
連続生体情報測定装置で測定した生体情報を使用者端末機で管理する方法において、
センサーモジュールとトランスミッタを具備する連続生体情報測定装置とペアリング接続を遂行する段階と、
前記連続生体情報測定装置のセンサーモジュールに保存されている第１センサー使用情報を受信し、前記連続生体情報測定装置のセンサーモジュールに第２センサー使用情報を保存制御して前記連続生体情報測定装置のセンサーモジュールを初期化登録する段階と、及び
初期化登録後前記連続生体情報測定装置で測定された生体情報を具備する測定メッセージを受信し、前記生体情報を使用者にマッピングして登録保存する段階と、を含むことを特徴とする生体情報管理方法。
【請求項２】
前記連続生体情報測定装置の生体情報管理方法であって、
前記第１センサー使用情報は前記センサーモジュールのメモリーに既登録された登録センサー使用情報または前記センサーモジュールと前記トランスミッタが接続連結時に生成された生成センサー使用情報であり、
前記第２センサー使用情報は、前記使用者端末機に登録された使用者情報であることを特徴とする請求項１に記載の生体情報管理方法。
【請求項３】
前記登録センサー使用情報は前記センサーモジュールの識別子、製造日、生産ロット(lot)のうちで少なくとも何れか一つであり、
前記生成センサー使用情報は、前記センサーモジュールの使用開始時刻、前記トランスミッタの識別子のうちで少なくとも何れか一つであることを特徴とする請求項２に記載の生体情報管理方法。
【請求項４】
前記センサーモジュールを初期化登録する段階は、
前記連続生体情報測定装置のセンサーモジュールに保存されている前記センサーモジュールの識別子、製造日または生産ロットを前記連続生体情報測定装置から受信する段階と、
前記センサーモジュールの製造日または生産ロット情報に基づいて前記センサーモジュールの有効使用如何を判断する段階と、
前記センサーモジュールが有効使用可能な場合、登録された使用者情報を前記連続生体情報測定装置に送信する段階と、及び
前記センサーモジュールの識別子及び前記センサーモジュールの使用開始時刻で前記センサーモジュールの使用を初期化登録する段階と、を含むことを特徴とする請求項３に記載の生体情報管理方法。
【請求項５】
前記有効使用如何を判断する段階で、
前記センサーモジュールの識別子または製造日から前記センサーモジュールの有効期間を判断し、前記センサーモジュールの有効期間と現在日付を比べて前記センサーモジュールの有効期間が終了したかの如何を判断するか、または
前記センサーモジュールの識別子または生産ロットを管理サーバーから受信した不良リストと比べて前記センサーモジュールの不良如何を判断することを特徴とする請求項４に記載の生体情報管理方法。
【請求項６】
前記センサーモジュールを初期化登録する段階は、
前記センサーモジュールの有効期間が終了した場合または前記センサーモジュールが不良である場合警告メッセージを生成し、前記警告メッセージを活性化して使用者に出力する段階をさらに含むことを特徴とする請求項５に記載の生体情報管理方法。
【請求項７】
前記センサーモジュールを初期化登録する段階は、
活性化した前記警告メッセージに対する使用者確認命令が入力されるかを判断する段階と、及び
前記使用者確認命令が入力される場合、前記警告メッセージの活性化時刻と前記使用者確認命令の入力時刻及び該当センサーモジュールの識別子に対する情報を管理サーバーに送信する段階と、をさらに含むことを特徴とする請求項６に記載の生体情報管理方法。
【請求項８】
前記生体情報を使用者にマッピングして登録保存する段階は、
前記測定メッセージに具備されている第１使用者情報と登録された使用者情報を比べる段階と、
登録された使用者情報のうちで前記第１使用者情報と一致する第２使用者情報が存在するかを検索する段階と、及び
前記第１使用者情報と一致する第２使用者情報にマッピングして前記測定メッセージに具備されている生体情報を登録保存する段階と、を含むことを特徴とする請求項３に記載の生体情報管理方法。
【請求項９】
前記生体情報を使用者にマッピングして登録保存する段階は、
登録された使用者情報のうちで前記第１使用者情報と一致する使用者情報が存在しない場合、使用者確認メッセージを生成して前記使用者確認メッセージを活性化して使用者に出力する段階をさらに含むことを特徴とする請求項８に記載の生体情報管理方法。
【請求項１０】
前記生体情報管理方法は、
前記使用開始時刻情報と前記センサーモジュールの使用期間に基づいて残余使用期間を計算する段階をさらに含むことを特徴とする請求項３に記載の生体情報管理方法。
【請求項１１】
前記生体情報管理方法は、
残余期間確認命令が入力される場合、使用開始時刻から前記残余期間確認命令が入力された時刻までの実際使用期間と前記センサーモジュールの使用期間から残余使用期間を計算して前記残余使用期間に対する情報を使用者に出力する段階をさらに含むことを特徴とする請求項１０に記載の生体情報管理方法。
【請求項１２】
前記生体情報管理方法は、
前記残余使用期間が設定された臨界日未満である場合、交替お知らせメッセージを生成し、生成した前記交替お知らせメッセージを活性化して使用者に出力する段階をさらに含むことを特徴とする請求項１０に記載の生体情報管理方法。
【発明の詳細な説明】
【技術分野】
【０００１】
本発明は、生体情報の管理方法に関するものであり、より具体的には、連続生体情報測定装置から受信したセンサー使用情報の識別子、製造日または生産ロット情報に基づいて連続生体情報測定装置のセンサーモジュールの有効性を判断することで、流通期間が経過したセンサーモジュールまたは不良センサーモジュールの使用を防止することができるし、連続生体情報測定装置から受信した測定メッセージに具備された使用者情報に基づいてセンサーモジュールの再使用や共同使用を防止することができる生体情報の管理方法に関するものである。
【背景技術】
【０００２】
糖尿病は現代人に多く発生される慢性疾患で全世界人口のうちで４億名程度が糖尿病疾患を有している。
【０００３】
糖尿病は肥満、ストレス、誤った食習慣、先天的遺伝など多様な原因によって膵臓で作られるインスリンが絶対的に不足であるか、または相対的に不足で血液で糖に対する均衡をすぐ取ってくれることができないことにより血液内に糖成分が絶対的に多くなるようになって発病する。
【０００４】
血液内には普通一定濃度のブドウ糖が含有されているし、組織細胞はここでエネルギーを得ている。
【０００５】
しかし、ブドウ糖が必要異常に増加するようになれば、肝臓や筋肉または脂肪細胞などに適切に保存されることができずに血液内に蓄積され、これにより糖尿病患者は正常人よりずっと高い血糖が維持され、過多な血糖は組織をそのまま通過して小便で排出されることによって身体の各組織に絶対的に必要な糖分は不足になって身体各組織に異常を催すようになる。
【０００６】
糖尿病は初期にはほとんど自覚症状がないことが特徴であるが、病気が進行されれば糖尿病特有の多飲、多食、多尿、体重減少、全身倦怠、肌かゆみ症状、手と足の傷が治らないで長続きする場合などの特有の症状が現われ、病気がいっそうさらに進行されれば、視力障害、高血圧、腎臓病、中風、齒周疾患、筋肉痙攣及び神経痛、壊疽などに進む合併症が現われる。
【０００７】
このような糖尿病を診断して合併症に進まないように管理するためには体系的な血糖測定と治療が併行されなければならない。
【０００８】
血糖測定機は使用者が指端から採血して血糖測定を１回単位で遂行する方式と、使用者のお腹と腕などに付着して血糖測定を連続的に遂行する方式がある。
【０００９】
使い捨て血糖ストリップセンサーを使用する１回単位の血糖測定方式の場合採血をする度に針などを利用して直接採血をしなければならないので、それによる苦痛やストレスが伴う短所があって、最近には連続測定血糖センサーを利用した連続血糖測定方式に関する技術開発が多くなされている実情である。
【００１０】
さらに、糖尿病が深刻な状態で進行した患者の場合、血糖管理がさらに厳格に進行されなければならないので、血糖測定を連続的に遂行する連続血糖測定システムが使用されている。
【００１１】
連続血糖測定システムは使用者の肌に配置されて連続して使用者の血糖を測定する連続血糖測定機と、連続血糖測定機から測定した血糖情報を受信して使用者命令に従って血糖情報を使用者に出力する使用者端末機及び使用者端末機から血糖情報を受信して保存登録して連続血糖測定機と関連される管理情報を提供する管理サーバーを具備している。
【００１２】
ここで連続血糖測定機は、使用者の体液から周期的に使用者の血糖を測定するセンサーモジュールと、センサーモジュールによって測定された血糖情報を使用者端末機に送るトランスミッタなどを含んで構成される。
【００１３】
通常に連続血糖測定機のセンサーモジュールは、酵素法/非酵素法など測定方式によって一定期間の有効期間を有するが、使用者は有効期間を越さないセンサーモジュールを肌に付着して使用者の血糖情報を測定しなければならない。しかし、使用者は間違いで有効期間が経過したセンサーモジュールを使用するか、または有効期間が経過したセンサーモジュールを捨てることが惜しくて意図的に有効期間が経過したセンサーモジュールを使用するようになる場合が発生するようになる。
CD 42422また、連続血糖測定機のセンサーモジュールは体内に挿入される特性によって再使用されるか、または複数の使用者によって共同使用される場合に感染などの大きい健康上の問題を有して来ることができるが、従来連続血糖測定機のセンサーモジュールは場合、たびたび再使用されるか、または複数の使用者によって共同使用される場合が発生するおそれがある。
【００１４】
有効期間が経過した連続血糖測定機のセンサーモジュールを使用することによって使用者は製造者が保証する正確度の性能を脱した測定値を経験することができて使用者は不正確な血糖情報によって適切な血糖調節と治療を逃すようになるか、または連続血糖測定機のセンサーモジュールの再使用や共同使用によって感染などの問題を発生させる。
【００１５】
連続血糖測定機から受信した血糖情報を保存して血糖情報を使用者に提供する、使用者端末機で実行される従来アプリケーションの場合、このような問題点を乗り越えることができないという限界を有する。
【発明の概要】
【発明が解決しようとする課題】
【００１６】
本発明は、上で言及した従来の連続生体情報測定装置で測定した生体情報を管理する方法が有する問題点を解決するためのものであり、本発明がなそうとする目的は、連続生体情報測定装置から受信したセンサー使用情報を利用して連続生体情報測定装置を有効に使用するように手伝ってくれる生体情報管理方法を提供することである。
【００１７】
本発明がなそうとする他の目的は、連続生体情報測定装置から受信したセンサー使用情報に基づいてセンサーモジュールの残余使用期間を判断して残余使用期間に基づいて使用者にセンサーモジュールの交替時期を知らせてくれる生体情報管理方法を提供することである。
【００１８】
本発明がなそうとするまた他の目的は、連続生体情報測定装置から受信した測定メッセージに具備された使用者情報と使用者端末機で登録された使用者情報を比べて同一なセンサーモジュールを再使用するか、または共同使用することを防止することができる生体情報管理方法を提供することである。
【課題を解決するための手段】
【００１９】
本発明の目的を達成するために本発明による連続生体情報測定装置で測定した生体情報を使用者端末機で管理する方法は、センサーモジュールとトランスミッタを具備する連続生体情報測定装置とペアリング接続を遂行する段階と、連続生体情報測定装置のセンサーモジュールに保存されている第１センサー使用情報を受信して連続生体情報測定装置のセンサーモジュールに第２センサー使用情報を保存制御して連続生体情報測定装置のセンサーモジュールを初期化登録する段階と、初期化登録後連続生体情報測定装置で測定された生体情報を具備する測定メッセージを受信して生体情報を使用者にマッピングして登録保存する段階と、を含むことを特徴とする。
【００２０】
ここで、第１センサー使用情報は、センサーモジュールのメモリーに既登録された登録センサー使用情報またはセンサーモジュールとトランスミッタが接続連結時生成された生成センサー使用情報であり、第２センサー使用情報は使用者端末機に登録された使用者情報であることを特徴とする。
【００２１】
ここで、登録センサー使用情報は、センサーモジュールの識別子、製造日、生産ロット(lot)のうちで少なくとも何れか一つであり、生成センサー使用情報はセンサーモジュールの使用開始時刻、トランスミッタの識別子のうちで少なくとも何れか一つであることを特徴とする。
【００２２】
望ましくは、本発明の一実施例によるセンサーモジュールを初期化登録する段階は、連続生体情報測定装置のセンサーモジュールに保存されているセンサーモジュールの識別子、製造日または生産ロットを連続生体情報測定装置から受信する段階と、センサーモジュールの製造日または生産ロット情報に基づいてセンサーモジュールの有効使用如何を判断する段階と、センサーモジュールが有効使用可能な場合登録された使用者情報を連続生体情報測定装置に送信する段階と、センサーモジュールの識別子及びセンサーモジュールの使用開始時刻でセンサーモジュールの使用を初期化登録する段階と、を含むことを特徴とする。
【００２３】
望ましくは、本発明による有効使用如何を判断する段階でセンサーモジュールの識別子または製造日からセンサーモジュールの有効期間を判断し、センサーモジュールの有効期間と現在日付を比べてセンサーモジュールの有効期間が終了したかの如何を判断するか、またはセンサーモジュールの識別子または生産ロットを管理サーバーから受信した不良リストと比べてセンサーモジュールの不良如何を判断することを特徴とする。
【００２４】
望ましくは、本発明の一実施例によってセンサーモジュールを初期化登録する段階は、センサーモジュールの有効期間が終了した場合またはセンサーモジュールが不良である場合警告メッセージを生成し、警告メッセージを活性化して使用者に出力する段階をさらに含むことを特徴とする。
【００２５】
望ましくは、本発明の一実施例によってセンサーモジュールを初期化登録する段階は、活性化した前記警告メッセージに対する使用者確認命令が入力されるかを判断する段階と、使用者確認命令が入力される場合警告メッセージの活性化時刻と使用者確認命令の入力時刻及び該当センサーモジュールの識別子に対する情報を管理サーバーに送信する段階と、をさらに含むことを特徴とする。
【００２６】
望ましくは、本発明の一実施例によって生体情報を使用者にマッピングして登録保存する段階は測定メッセージに具備されている第１使用者情報と登録された使用者情報を比べる段階と、登録された使用者情報のうちで第１使用者情報と一致する第２使用者情報が存在するかを検索する段階と、第１使用者情報と一致する第２使用者情報にマッピングして測定メッセージに具備されている生体情報を登録保存する段階と、を含むことを特徴とする。
【００２７】
望ましくは、本発明の一実施例によって生体情報を使用者にマッピングして登録保存する段階は、登録された使用者情報のうちで第１使用者情報と一致する使用者情報が存在しない場合、使用者確認メッセージを生成して使用者確認メッセージを活性化して使用者に出力する段階をさらに含むことを特徴とする。
【００２８】
望ましくは、本発明の一実施例による生体情報管理方法は、使用開始時刻情報と前記センサーモジュールの使用期間に基づいて残余使用期間を計算する段階をさらに含むことを特徴とする。
【００２９】
望ましくは、本発明の一実施例による生体情報管理方法は、残余期間確認命令が入力される場合、使用開始時刻から残余期間確認命令が入力された時刻までの実際使用期間とセンサーモジュールの使用期間から残余使用期間を計算して残余使用期間に対する情報を使用者に出力する段階をさらに含むことを特徴とする。
【００３０】
ここで生体情報管理方法は、残余使用期間が設定された臨界日未満である場合、交替お知らせメッセージを生成し、生成した交替お知らせメッセージを活性化して使用者に出力する段階をさらに含むことを特徴とする。
【発明の効果】
【００３１】
本発明による生体情報管理方法は次のような効果を有する。
【００３２】
第一、本発明による生体情報管理方法は、連続生体情報測定装置から受信したセンサー使用情報の製造日または生産ロット情報に基づいて連続生体情報測定装置のセンサーモジュールの有効性を判断することで、流通期間が経過したセンサーモジュールまたは不良センサーモジュールの使用を防止することができる。
【００３３】
第二、本発明による生体情報管理方法は連続生体情報測定装置から受信したセンサー使用情報に基づいてセンサーモジュールの残余使用期間を判断することで、残余使用期間に基づいて使用者にセンサーモジュールの交替時期を知らせてくれることができる。
【００３４】
第三、本発明による生体情報管理方法は、連続生体情報測定装置から受信した測定メッセージに具備された使用者情報と使用者端末機で登録された使用者情報を比べて受信した生体情報を一致する使用者情報にマッピングして登録管理することで、同一なセンサーモジュールを再使用するか、または共同使用することを防止することができる。
【００３５】
第四、本発明による生体情報管理方法は連続生体情報測定装置から受信した測定メッセージに具備された使用者情報と使用者端末機で登録された使用者情報を比べて受信した生体情報の使用者情報と登録された使用者情報が異なる場合、生体情報を表示しないことで重要な生体情報が流出されることを保護することができる。
【図面の簡単な説明】
【００３６】
【図１】図１は本発明による連続生体情報管理システムを説明するための図面である。
【図２】図２は本発明による連続生体情報測定装置１００の一例を説明するための図面である。
【図３】図３は本発明による生体情報管理用使用者端末機を説明するための機能ブロック図である。
【図４】図４は本発明の一実施例による初期化登録部を説明するための機能ブロック図である。
【図５】図５は本発明の一実施例による情報管理部を説明するための機能ブロック図である。
【図６】図６は本発明によって使用者端末機で遂行される生体情報管理方法を説明するための流れ図である。
【図７】図７は本発明の一実施例によってセンサーモジュールを初期化登録する段階を説明するための流れ図である。
【図８】図８は本発明による警告メッセージと交替メッセージの一例を示している。
【図９】図９は本発明の一実施例によるセンサーモジュールの残余使用期間を案内する段階を説明するための流れ図である。
【発明を実施するための形態】
【００３７】
本発明の説明に使用される技術的用語は、単に特定の実施形態を説明するために使用されたもので、本発明を限定するものではない。更に本発明で使用された技術的用語は、本発明の属する技術分野における通常の知識を有する者であれば一般的に理解されるのと同一の意味を有する。尚、別に異なる意味に定義しない限り、過剰に包括的な意味に解釈されたり、縮小された意味で解釈されない。また、本発明における技術的用語が本発明の思想を正確に表現できない誤った技術的用語である場合には、当業者が正しく理解できる技術的用語に置き換えて理解されるべきである。
【００３８】
更に、本発明で使用される単数の表現は文脈上明白に異なる意味ではない限り、複数の表現を含む。本明細書において、「構成される」又は「含む」などの用語は、発明に記載された多数の構成要素又は多数のステップを必ずしも全て含むものに解釈されてはならず、そのいずれか一部の構成要素、若しくは一部のステップは含まれない場合もあり、又は追加的な構成要素、若しくはステップを更に含むことができるもので解釈されるべきである。
【００３９】
また、添付された図は本発明の思想を容易に理解し得るようにするためのものであって、添付された図により本発明の思想が制限されるもので解釈されてはならない。
【００４０】
図１は、本発明による連続生体情報管理システムを説明するための図面である。
【００４１】
図１を参照してより具体的に説明すると、使用者１の肌には連続生体情報測定装置１００が付着されているが、連続生体情報測定装置１００は使用者１の体液を周期的に抽出して抽出した体液を利用して使用者１の生体情報、例えば血糖を連続して測定する。
【００４２】
連続生体情報測定装置１００と使用者端末機２００は、お互いに近距離通信、例えばブルートゥース（登録商標）通信、赤外線通信などに接続されているが、連続生体情報測定装置１００と使用者端末機２００は近距離通信を通じてデータを送受信する。すなわち、連続生体情報測定装置１００と使用者端末機２００がお互いに近距離通信範囲に位置する場合連続生体情報測定装置１００は測定した使用者１の生体情報を使用者端末機２００に送信する。
【００４３】
ここで使用者端末機２００は、連続生体情報測定装置１００から受信した使用者１の生体情報を問い合わせ可能になるように保存するか、または使用者に出力することができる装置で、使用者端末機２００は生体情報管理のためのアプリケーションを実行することができる。このような使用者端末機２００の一例で、スマートフォン、ノートブック、ＰＤＡ、生体情報管理専用端末機などが使用されることができる。
【００４４】
使用者端末機２００と管理サーバー５０はお互いにネットワーク３０を通じて接続されている。使用者端末機２００は連続生体情報測定装置１００から受信した使用者１の生体情報を管理サーバー５０に送信するか、または連続生体情報測定装置１００のセンサー使用情報を管理サーバー５０に送信する。一方、使用者端末機２００は管理サーバー５０から連続生体情報測定装置の識別子による有効期間または生産ロット別製品情報を受信することができる。
【００４５】
望ましくは、使用者端末機２００は使用者情報に基づいて使用者を識別し、識別した使用者にマッピングして受信した生体情報を登録保存する。一方、使用者端末機２００は使用者にマッピングして登録された生体情報またはセンサー使用情報を使用者情報と共に管理サーバー５０に送信する。
【００４６】
本発明による連続生体情報測定装置は、使用者の体液を抽出して使用者の生体情報を測定するセンサーモジュールと測定した生体情報を使用者端末機に送信するトランスミッタを具備するが、センサーモジュールはセンサー使用情報を保存している別途のメモリーを具備してセンサー使用情報を利用して使用者が有効な連続生体情報測定装置を使用するようにするか、または連続生体情報測定装置の再使用または複数の使用者の間の共同使用を防止するようにする。
【００４７】
図２は、本発明による連続生体情報測定装置１００の一例を説明するための図面である。
【００４８】
本発明による連続生体情報測定装置１００は、使用者の肌に付着されて使用者体液を抽出して体液から周期的に使用者の生体情報を測定するセンサーモジュール１１０と、センサーモジュール１１０と脱付着方式で接続されてセンサーモジュール１１０で測定した生体情報を使用者端末機に送信するトランスミッタ１３０を具備えている。ここで、センサーモジュール１１０とトランスミッタ１３０は別個のモジュールで製作され、センサーモジュール１１０とトランスミッタ１３０はお互いに脱付着方式で締結される。
【００４９】
センサーモジュール１１０の一側には接続端子(図示せず)が形成されていて接続端子を通じてセンサーモジュール１１０とトランスミッタ１３０がお互いに接続されるが、センサーモジュール１１０で測定された生体情報は接続端子を通じてトランスミッタ１３０に伝達することができる。
【００５０】
センサーモジュール１１０とトランスミッタ１３０は付着パッド１０１を通じて使用者の肌に配置されるが、付着パッド１０１は身体の一部、例えば、お腹またはわき腹の肌に付着されるように形成される。付着パッド１０１が身体に付着される方式は、別途の固定バンドを利用して付着される方式または縁部分に粘着剤が塗布されて肌に粘着される方式など多様な方式で設定されることができる。
【００５１】
この時、体液抽出管１０３は付着パッド１０１が身体に付着された状態で体内に一部挿入されるように配置されることができる。例えば、体液抽出管１０３の末端が付着パッド１０１の身体付着面から外部突き出される形態で配置されることができるし、このような構造によって付着パッド１０１を身体表面に付着させれば、付着パッド１０１に装着された体液抽出管１０３はその末端が体内に挿入される形態で配置される。
【００５２】
ここで、体液とは細胞間質液または血液のうちで何れか一つが適用されることができるし、血液は毛細管血、静脈血、動脈血のうちで何れか一つを含む概念で使用する。また、体液抽出管１０３は体液抽出管、カニューレ(cannula)またはマイクロ投石チューブ(Microdialysis Tubing)など体内から体液を抽出することができる多様な形態で形成されることができるし、このような形態をすべて通称して体液抽出管と称する。
【００５３】
このように付着パッド１０１が身体に付着されれば、体液抽出管１０３が体内に挿入された状態で維持されるので、この状態で体液抽出管１０３を通じて使用者の体液が抽出されて連結チューブを通じて移送供給された体液はセンサーモジュール１１０によって生体情報、例えば血糖濃度が測定される。
【００５４】
センサーモジュール１１０は供給された体液を利用して血糖濃度を測定するが、血糖濃度測定方式は一般的な採血式血糖測定機に使用される測定センサーなど多様な方式のセンサーが適用されることができるし、血糖濃度を測定する既存の多様な測定センサーが適用されることができるので、これに対する詳細な説明は略する。
【００５５】
センサーモジュール１１０は別途の保存部(図示せず)を具備するが、保存センサーモジュール１１０の有効的な使用を管理するか、または再使用または共同使用を防止するか、または使用者にセンサーモジュールの交替を知らせてくれるためのセンサー使用情報が登録保存される。保存部に登録保存されるセンサー使用情報はセンサーモジュール１１０の出荷時に保存部に既登録されている登録センサー使用情報と、センサーモジュール１１０とトランスミッタを接続連結時に生成される生成センサー使用情報と、トランスミッタ１３０を通じて使用者端末機から受信する受信センサー使用情報を含む。
【００５６】
ここで、登録センサー使用情報は、センサーモジュールの識別子、製造日、生産ロット(lot)、有効期間、設定した使用期間または使用回数であり、生成センサー使用情報はセンサーモジュールの使用開始時刻、接続したトランスミッタの識別子であり、受信センサー使用情報は使用者端末機から受信した使用者情報であることを特徴とする。
【００５７】
ここで、生産ロット情報とは、血糖測定機のセンサーモジュールの測定部は金属、酵素、フィルムなどのいろいろな物質の複合体であり、生産過程も温度、湿度、使用者の能熟度が異なってセンサーモジュールをまったく同じ性能と性質の製品が生産されることが理論的に不可能である。大量生産されるセンサーモジュールを生産ロット情報で区分して生産ロット情報によって現われる偏差を判断して正確な生体情報の測定が可能である。
【００５８】
ここで使用者情報は、使用者端末機で実行される生体情報管理アプリケーションで登録された使用者情報が使用されることができるが、例えば、使用者のアイディー、パスワード、生年月日、住民登録番号などの固有識別子が使用者情報で使用されることができる。
【００５９】
センサーモジュール１１０に保存されるセンサー使用情報は、トランスミッタ１３０を通じて近距離通信範囲に位置する接続された使用者端末機(近距離通信がブルートゥース通信である場合、ペアリングされた使用者端末機)の間で送受信されるか、または、測定した使用者の生体情報はトランスミッタ１３０を通じて近距離通信範囲に位置する接続された使用者端末機に送信される。
【００６０】
図３は、本発明による生体情報管理用使用者端末機を説明するための機能ブロック図である。
【００６１】
図３を参照してより具体的に説明すると、通信部１１０は連続生体情報測定装置と接続を遂行して連続生体情報測定装置とデータを送受信するか、または管理サーバーと接続して管理サーバーとデータを送受信する。通信部１１０は連続生体情報測定装置とデータを送受信するための近距離通信と管理サーバーとデータを送受信するためのインターネット通信を遂行することができる。
【００６２】
望ましくは、通信部１１０は連続生体情報測定装置と近距離通信方式でデータを送受信するために赤外線通信、ブルートゥース通信などを使用することができるが、ブルートゥース方式で連続生体情報測定装置とデータを送受信する場合ペアリング接続を遂行する。
【００６３】
初期化登録部１３０は連続生体情報測定装置と通信接続を完了した場合、連続生体情報測定装置のセンサーモジュールに保存されているセンサーモジュールの識別子、製造日、生産ロットなどの登録センサー使用情報を受信するか、または連続生体情報測定装置で使用者情報などのセンサー使用情報を送信し、受信したセンサー使用情報とセンサーモジュールの使用開始時刻に対する情報をデータベース部１７０に保存してセンサーモジュールを初期化登録する。
【００６４】
初期化登録部１３０は受信したセンサー使用情報の製造日に基づいてセンサーモジュールの有効期間が経過したかを判断するか、またはセンサー使用情報のロット情報に基づいてセンサーモジュールの不良如何を判断するなどセンサーモジュールの有効使用如何を判断することができる。
【００６５】
一方、センサーモジュールが初期化登録される場合情報管理部１５０は通信部１１０を通じて周期的に連続生体情報測定装置から生体情報を受信し、受信した生体情報の使用者情報と使用者端末機で登録された使用者情報を比べて登録された使用者情報にマッピングして受信した生体情報をデータベース部１７０に登録保存する。情報管理部１５０は管理サーバーの要請がある場合または周期的にデータベース部１７０に登録保存された生体情報を管理サーバーに送信制御する。
【００６６】
図４は、本発明の一実施例による初期化登録部を説明するための機能ブロック図である。
【００６７】
図４を参照してより具体的に説明すると、有効使用判断部１３１は連続生体情報測定装置から受信したセンサー使用情報のうちでセンサーモジュールの識別子、製造日または生産ロット情報に基づいてセンサーモジュールが有効に使用されているかの如何を判断する。すなわち、有効使用判断部１３１はセンサー使用情報のうちでセンサーモジュールの識別子または製造日に基づいて使用者が使おうとするセンサーモジュールの有効期間が経過したかを判断するか、またはセンサー使用情報のうちで生産ロット情報に基づいて使用者が使おうとするセンサーモジュールが不良であるかの如何を判断する。
【００６８】
望ましくは、有効使用判断部１３１は連続生体情報測定装置からセンサーモジュール識別子を受信する場合センサーモジュール識別子を管理サーバーに送信してセンサーモジュール識別子に該当する有効期間を受信するが、センサーモジュールの製造日と現在日付、そして有効期間に基づいてセンサーモジュールの有効期間が経過したかの如何を判断することができる。
【００６９】
望ましくは、有効使用判断部１３１は連続生体情報測定装置からセンサーモジュールの生産ロット情報を受信する場合生産ロット情報を管理サーバーに送信して生産ロット情報に該当する不良製品に対する情報を受信するが、生産ロット別不良製品情報に基づいて該当センサーモジュールの不良如何を判断する。
【００７０】
有効使用判断部１３１で該当センサーモジュールが有効な使用であることとして判断される場合、登録制御部１３３は受信したセンサーモジュールの識別子、製造日、生産ロットなどの登録センサー使用情報をデータベース部に登録保存するか、またはセンサーモジュールの使用開始時刻またはトランスミッタの識別子などの生成センサー使用情報をデータベース部に登録保存する。一方、登録制御部１３３は該当センサーモジュールが有効な使用である場合データベース部に登録された使用者情報を通信部を通じて連続生体情報測定装置で送信制御する。
【００７１】
ここで登録制御部１３３は、連続生体情報測定装置との接続時刻をセンサーモジュールの使用開始時刻で使用するか、または連続生体情報測定装置から受信したセンサーモジュールとトランスミッタの接続時刻をセンサーモジュールの使用開始時刻で使用することができる。
【００７２】
しかし、有効使用判断部１３１で該当センサーモジュールが有効な使用ではないことで判断される場合、すなわち該当センサーモジュールの有効期間が経過するか、または不良であることとして判断される場合、警告制御部１３５は警告メッセージを生成し、生成した警告メッセージを使用者端末機で活性化出力制御する。警告制御部１３５は活性化した警告メッセージに対する使用者の確認命令を受信する場合警告メッセージを活性化して出力した時刻と確認命令を受信した時刻に対する情報をデータベース部１７０に登録保存するか、または管理サーバーに送信制御する。
【００７３】
一実施例で警告制御部１３５は警告メッセージに対する使用者の確認命令を受信する場合、登録制御部１３３を通じてセンサーモジュールの初期化登録を拒否するように制御して使用者にとって有効ではないセンサーモジュールを使用することができないように強制することができる。
【００７４】
他の実施例で警告制御部１３５は、警告メッセージに対する使用者の確認命令を受信する場合、登録制御部１３３を通じてセンサーモジュールの初期化登録を進行するように制御することができるが、周期的に該当センサーモジュールの交替を知らせてくれるための警告メッセージを生成して使用者に活性化出力することができる。
【００７５】
図５は、本発明の一実施例による情報管理部を説明するための機能ブロック図である。
【００７６】
図５を参照してより具体的に説明すると、使用者確認部１５１は連続生体情報測定装置から測定メッセージを受信する場合測定メッセージに具備されている使用者情報と使用者端末機で登録された使用者情報を比べて登録された使用者情報のうちで該当測定メッセージの使用者情報と一致する使用者情報が存在するかを検索して使用者を確認する。センサーモジュールの初期化登録時に登録制御部は登録された使用者情報をセンサーモジュールに送信し、連続生体情報測定装置は測定メッセージを生成時に受信した使用者情報を具備するか、または使用者情報を利用する。
【００７７】
一致する使用者情報が存在する場合、情報保存部１５３は受信した測定メッセージの生体情報を一致する使用者情報にマッピングしてデータベース部に登録保存する。
【００７８】
しかし、一致する使用者情報が存在しない場合、お知らせ部１５５は使用者確認メッセージを生成し、生成した使用者確認メッセージを使用者端末機に活性化出力し、情報保存部１５３は受信した測定メッセージの生体情報をデータベース部に登録保存しないように制御する。
【００７９】
一方、使用者端末機を通じて残余期間確認命令を受信する場合に残余時間計算部１５７はセンサーモジュールの使用開始時刻に対する情報と残余期間確認命令が入力された時刻までのセンサーモジュールの実際使用時間とセンサーモジュールの使用期間からセンサーモジュールの残余使用期間を計算し、計算した残余使用期間に対する情報を使用者端末機に活性化出力する。
【００８０】
図６は、本発明によって使用者端末機で遂行される生体情報管理方法を説明するための流れ図である。
【００８１】
図６を参照してより具体的に説明すると、使用者端末機は連続生体情報測定装置と通信接続を遂行する(Ｓ１１０)。ここで、使用者端末機と連続生体情報測定装置は赤外線通信またはブルートゥース通信を遂行するが、このような通信接続は広く公知された技術であるので、これに対する詳細な説明を略する。
【００８２】
使用者端末機は連続生体情報測定装置から第１センサー使用情報を受信するか、または連続生体情報測定装置で第２センサー使用情報を送信して連続生体情報測定装置のセンサーモジュールを使用者端末機に初期化登録する(Ｓ１３０)。ここで、第１センサー使用情報はセンサーモジュールのメモリーに既登録された登録センサー使用情報またはセンサーモジュールとトランスミッタが接続連結時に生成された生成センサー使用情報であり、第２センサー使用情報は前記使用者端末機に登録された使用者情報であることを特徴とするが、登録センサー使用情報はセンサーモジュールの識別子、製造日、生産ロット(lot)のうちで少なくとも何れか一つであり、生成センサー使用情報はセンサーモジュールの使用開始時刻、トランスミッタの識別子のうちで少なくとも何れか一つであることを特徴とする。
【００８３】
センサーモジュールを使用者端末機に初期化登録時に使用者端末機はセンサーモジュールの有効使用如何を判断するが、受信した第１センサー使用情報のうちでセンサーモジュールの識別子、製造日または生産ロット情報に基づいてセンサーモジュールの有効使用如何を判断し、センサーモジュールが有効な使用と判断される場合センサーモジュールを使用者端末機に初期化登録完了することができる。
【００８４】
センサーモジュールの初期化登録が完了される場合、使用者端末機は周期的に連続生体情報測定装置から生体情報を具備する測定メッセージを受信するが(Ｓ１５０)、受信した測定メッセージに具備されている使用者情報と使用者端末機にログイン登録された使用者情報を比べて受信した使用者情報と一致する登録された使用者情報が存在するかを判断する(Ｓ１７０)。センサーモジュールの初期化登録時センサーモジュールを使用する使用者情報をセンサーモジュールに送信し、連続生体情報測定装置は使用者情報を具備するか、または使用者情報に暗号化して測定メッセージを生成する。
【００８５】
受信した使用者情報と一致する登録された使用者情報が存在する場合、一致する使用者情報にマッピングして受信した生体情報をデータベース部に登録保存する(Ｓ１８０)。
【００８６】
しかし、受信した使用者情報と一致する登録された使用者情報が存在しない場合、使用者確認メッセージを活性化して使用者端末機に出力制御する(Ｓ１９０)。
【００８７】
このように測定メッセージに使用者情報を含むか、または使用者情報で暗号化することで、測定メッセージを受信した使用者端末機は測定メッセージの使用者情報と使用者端末機のアプリケーションに入力される使用者情報を比べて同一な使用者をマッピングして生体情報を管理することができるし、これを通じて第３者が使用者の生体情報を問い合わせ可能ではないようにするか、または相異な使用者が同一なセンサーモジュールを共同で使用するか、または再使用することができないようにできる。
【００８８】
図７は、本発明の一実施例によってセンサーモジュールを初期化登録する段階を説明するための流れ図である。
【００８９】
図７を参照してより具体的に説明すると、連続生体情報測定装置からセンサーモジュールの識別子、製造日、生産ロットなどの登録センサー使用情報を受信する(Ｓ１３１)。
【００９０】
受信した登録センサー使用情報に基づいて使用者が使おうとするセンサーモジュールが有効に使用することができるセンサーモジュールであるかを判断する(Ｓ１３２)。ここで、センサーモジュールの有効使用如何を判断するために登録センサー使用情報のうちでセンサーモジュールの識別子または製造日に基づいてセンサーモジュールの有効使用期間が経過したかを判断するか、または登録センサー使用情報のうちで生産ロット情報に基づいてセンサーモジュールが不良製品であるかの如何を判断する。
【００９１】
使用者が使おうとするセンサーモジュールが有効に使用することができる製品である場合、使用者端末機に登録された使用者情報を抽出して抽出した使用者情報を連続生体情報測定装置に送信して使用者情報をセンサーモジュールのメモリーに登録保存するようにする(Ｓ１３３)。
【００９２】
センサーモジュールの登録センサー使用情報と共に連続生体情報測定装置で生成された生成センサー使用情報を登録保存してセンサーモジュールの初期化登録を完了する(Ｓ１３５)。ここで、生成センサー使用情報はセンサーモジュールの使用開始時刻またはトランスミッタの識別子であるが、センサーモジュールの使用開始時刻でセンサーモジュールとトランスミッタの接続時刻、または連続生体情報測定装置と使用者端末機との間の接続時刻が使用されることができる。
【００９３】
一方、使用者が使おうとするセンサーモジュールを有効に使用することができない製品である場合、警告メッセージを生成し、生成した警告メッセージを使用者端末機のディスプレイ部を通じて活性化出力する(Ｓ１３７)。図８(ａ)は、警告メッセージの一例を図示しているが、図８(ａ)に示されているところのように警告メッセージには該当センサーモジュールは有効期間が経過して使用することができないか、または不良製品で使用することができないという内容のメッセージが含まれることができる。
【００９４】
活性化された警告メッセージに回答して使用者端末機から使用者確認命令を受信する場合(Ｓ１３８)、警告メッセージを活性化して使用者に出力した時刻情報と使用者確認命令を受信した時刻に対する情報をデータベース部に保存登録するか、または管理サーバーに送信する(Ｓ１３９)。このように警告メッセージを活性化して使用者に出力した時刻情報と使用者確認命令を受信した時刻情報を保有することで、該当センサーモジュールを使わないことを使用者に知らせてくれたにもかかわらず今後使用者が有効ではないセンサーモジュールの使用によって発生するセンサーモジュール製造社の責任を減らすことができる。
【００９５】
図９は、本発明の一実施例によるセンサーモジュールの残余使用期間を案内する段階を説明するための流れ図である。
【００９６】
使用者端末機を通じてセンサーモジュールの残余使用期間を要請するための使用者命令が入力される場合(Ｓ２１０)、残余使用期間を要請するための使用者命令の入力時刻とセンサーモジュールの使用開始時刻からセンサーモジュールの実際使用期間を計算してセンサーモジュールの使用期間と実際使用期間からセンサーモジュールの残余使用期間を計算する(Ｓ２３０)。
【００９７】
計算した残余使用期間と設定した臨界日を比べて(Ｓ２５０)、残余使用期間が臨界日より小さな場合交替メッセージを生成し、生成した交替メッセージを使用者端末機のディスプレイ部を通じて活性化出力する(Ｓ２７０)。図８(ｂ)は交替メッセージの一例を図示しているが、図８(ｂ)に示されているところのように交替メッセージには使用者が使っているセンサーモジュールの残余使用期間と使っているセンサーモジュールの交替を要請するメッセージが含まれることができる。
【００９８】
一方、残余使用期間が臨界日より大きい場合残余使用期間を具備する案内メッセージを生成し、生成した案内メッセージを使用者端末機のデ−スプルレイブに活性化して出力する(Ｓ２９０)。
【００９９】
本発明は図に示した実施形態に基づいて説明したが、これは例示的なものに過ぎず、本発明の属する技術の分野における通常の知識を有する者なら、特許請求の範囲に記載した本発明の本質的な特性から外れない範囲で多様な修正及び変形が可能である。しかし、このような修正及び変形構造は全て本発明の権利範囲内に含まれることを明らかにする。
【図１】
2021505307.tif 000003
【図２】
2021505307.tif 000004
【図３】
2021505307.tif 000005
【図４】
2021505307.tif 000006
【図５】
2021505307.tif 000007
【図６】
2021505307.tif 000008
【図７】
2021505307.tif 000009
【図８】
2021505307.tif 000010
【図９】
2021505307.tif 000011
【国際調査報告】
2021505307.tif 000012
2021505307.tif 000013
2021505307.tif 000014
2021505307.tif 000015
2021505307.tif 000016
2021505307.tif 000017
2021505307.tif 000018
2021505307.tif 000019
2021505307.tif 000020
2021505307.tif 000021
2021505307.tif 000022
2021505307.tif 000023
2021505307.tif 000024
2021505307.tif 000025